(57)【要約】【課題】座面の高さ調整が容易でキャスターによる傾斜移動性に優れたポータブルトイレの脚部の提供を目的とし、さらには便器本体部に収納棚を安定して簡便に取り付けることができる脚部構造の提供を目的とする。【解決手段】脚部は、主脚部と、当該主脚部の下部に着脱可能に取り付ける補助脚部とを有し、主脚部及び補助脚部は、着脱可能なキャスターの取付部を有し、主脚部にキャスターを取り付けた状態と補助脚部にキャスターを取り付けた状態とで脚部の底面中心からキャスターの車輪までの距離が概ね同一であることを特徴とする。便器本体部の下面側に脚部の上部との連結部を有し、便器本体部とは別部材として製作した脚部の上部を前記便器本体部の連結部に連結固定すると良い。収納棚の固定部を脚部に設けると脚部を便器本体部に取り付ける際に収納棚を固定できる。【選択図】  図６
2010240166.tif 000002
【特許請求の範囲】
【請求項１】
便槽を備える便器本体部と、当該便器本体部を支える脚部とを有するポータブルトイレであって、
脚部は、主脚部と、当該主脚部の下部に着脱可能に取り付ける補助脚部とを有し、主脚部及び補助脚部は、着脱可能なキャスターの取付部を有し、主脚部にキャスターを取り付けた状態と補助脚部にキャスターを取り付けた状態とで脚部の底面中心からキャスターの車輪までの距離が概ね同一であることを特徴とするポータブルトイレの脚部。
【請求項２】
主脚部は底部に底部開口部と位置決め凹部を有し、
補助脚部は、主脚部の底部開口部に挿入する挿入部と、主脚部の位置決め凹部に嵌合する取付位置決め部を有していることを特徴とする請求項１記載のポータブルトイレの脚部。
【請求項３】
主脚部の位置決め凹部は、キャスターの取付部であることを特徴とする請求項２記載のポータブルトイレの脚部。
【請求項４】
便槽を備える便器本体部と、当該便器本体部を支える脚部とを有するポータブルトイレであって、
便器本体部の下面側に脚部の上部との連結部を有し、便器本体部とは別部材として製作した脚部の上部を前記便器本体部の連結部に連結固定したことを特徴とするポータブルトイレの脚部。
【請求項５】
便器本体部は、下面側に収納棚を便器本体部とは別部材として有し、脚部に当該収納棚の固定部を有していることを特徴とする請求項４記載のポータブルトイレの脚部。
【請求項６】
収納棚は上部付近に被固定部を有し、
脚部に設けた固定部は、収納棚の被固定部を下から支えるものであることを特徴とする請求項５記載のポータブルトイレの脚部。
【発明の詳細な説明】
【技術分野】
【０００１】
本発明は主に一般室内で使用されるポータブルトイレに関し、特にその脚部の構造に係る。
【背景技術】
【０００２】
ポータブルトイレは、一般室内で病人、老人、身体障害者等の体の不自由な人が使用するものであり、介護用として用いられることも多い。
従ってポータブルトイレは、便座の高さを使用者の体型に合せて調整できるのが好ましく、室内間を容易に移動できるものが要望される。
特許文献１には、高さ調整可能な脚部の後側に便器本体を傾けると床面に車輪が接地するキャスター部材を着脱可能に設けた簡易便器（ポータブルトイレ）を開示する。
しかし、同公報に開示するポータブルトイレにあっては脚取付部の台座付ナットと脚部に設けたボルト杆の螺合により高さ調整するものであり、無段階に高さ調整できるメリットがあるものの高さ調整作業が大変であるとともに高さ調整ストロークが短く、キャスター取付位置が脚部の周廻りに移動しないように複雑な構造になっている。  
【先行技術文献】
【特許文献】
【０００３】
【特許文献１】特開２００４−３１３６６１号公報
【発明の概要】
【発明が解決しようとする課題】
【０００４】
本発明は、座面の高さ調整が容易でキャスターによる傾斜移動性に優れたポータブルトイレの脚部の提供を目的とし、さらには便器本体部に収納棚を安定して簡便に取り付けることができる脚部構造の提供を目的とする。
【課題を解決するための手段】
【０００５】
本発明は、便槽を備える便器本体部と、当該便器本体部を支える脚部とを有するポータブルトイレであって、脚部は、主脚部と、当該主脚部の下部に着脱可能に取り付ける補助脚部とを有し、主脚部及び補助脚部は、着脱可能なキャスターの取付部を有し、主脚部にキャスターを取り付けた状態と補助脚部にキャスターを取り付けた状態とで脚部の底面中心からキャスターの車輪までの距離が概ね同一であることを特徴とする。
また、上記において、主脚部は底部に底部開口部と位置決め凹部を有し、補助脚部は、主脚部の底部開口部に挿入する挿入部と、主脚部の位置決め凹部に嵌合する取付位置決め部を有するようにすると、補助脚部を主脚部に取り付ける周回りの角度が定まり、この補助脚部にキャスターを取り付ける際に、周回りの取付位置が一定になる。
ここで、主脚部のキャスターの取付部を主脚部の位置決め凹部として利用してもよい。
【０００６】
また、本発明に係るポータブルトイレの脚部は、便槽を備える便器本体部と、当該便器本体部を支える脚部とを有するポータブルトイレであって、便器本体部の下面側に脚部の上部との連結部を有し、便器本体部とは別部材として製作した脚部の上部を前記便器本体部の連結部に連結固定したことを特徴とする。
【０００７】
本発明において、便器本体部は、下面側に収納棚を便器本体部とは別部材として有し、脚部に当該収納棚の固定部を有していてもよい。
ここで、収納棚は上部付近に被固定部を有し、脚部に設けた固定部で、収納棚の被固定部を下から支えるように構成すると、収納棚の重さを脚部に設けた固定部で下から支えるように作用し、収納棚を便器本体部の下に吊り下げる構造に比較して簡単な構造で強固に固定できる。
【発明の効果】
【０００８】
請求項１記載に係るポータブルトイレの脚部にあっては、キャスターを主脚部に取り付けた場合と補助脚部に取り付けた場合とで脚部底面の中心からキャスターの車輪までの距離に差が生じないので、便器本体を傾ける角度に差がなく移動作業性に優れる。
【０００９】
請求項４記載にポータブルトイレの脚部にあっては、便器本体部とは別部材としたことにより樹脂成形における金型が従来の脚部一体型便器本体に比較して、小さくてよいので全体として金型費が安価になる。
【００１０】
請求項５記載に係るポータブルトイレの脚部にあっては、便器本体の下面側に収納棚を設ける場合に、収納棚の固定部を脚部に設けたので脚部を便器本体部に取り付ける際に固定できるので、取付構造が簡単になる。
【図面の簡単な説明】
【００１１】
【図１】ポータブルトイレの外観斜視図を示す。
【図２】蓋部を後方に折りたたみ回動した状態の外観斜視図を示す。
【図３】ポータブルトイレの側面図を示す。
【図４】便器本体部と脚部の取付構造例を示す。
【図５】主脚部の長さ調整構造例を示す。
【図６】キャスターの取付構造例を示す。
【図７】キャスターの部品図を示す。
【図８】収納棚の取付構造例を示す。
【図９】収納棚と脚部との位置関係を示す。
【発明を実施するための形態】
【００１２】
本発明に係るポータブルトイレの構成例を以下図面に基づいて説明をする。
ポータブルトイレ１は、一般室内において使用されることが多く、ベッドや家具等の間の狭いスペースでも設置できるのがよく、また、ベッドに隣接配置して使用する場合にあっては、便器本体部とベッドとの間に無駄な隙間がない方が患者がその間を移動するのに都合がよい。
【００１３】
本発明に係るポータブルトイレ１は、図１及び図２に示すように便器本体部１０の中央部に便槽１１を備えることができるようになっていて、この便槽の上部に使用者が座る便座１２を有し、その上に二つ折りに開閉できる蓋部４０を有する。
蓋部４０は前方蓋４２と後方蓋４１とがヒンジ部材で山折りになるように連結され、後方蓋４１は後部が便器本体部の後部に枢着されている。
前方蓋４２には手かけ部４２ａを有する。
便器本体部１０の上面後方には着脱可能に背凭れ部２０を有し、この背凭れ部２０は左右の立上げ部２１の上部を背当て部２２で連結しこの背当て部２２の下に開口部Ｓを有する構造になっている。
これにより、２つ折りにした蓋部はこの開口部Ｓを経由して、後方に回動するので背凭れ部の後方から開口部Ｓを経由して介護することができる。
便器本体部１０は４本の脚部５０にて支えられていて、便器本体部１０と脚部５０とは別体の樹脂部材で製作されている。
【００１４】
便器本体部１０と脚部５０との連結構造を図３及び図４に示す。
便器本体部１０は、下縁部１０ａが概ね水平方向に形成された平面視矩形形状になっていて、下面側の各コーナー部に脚部５０の上部を連結する下に向けて開口した連結凹部１３を有する。
本実施例では、便器本体部の後方よりに後部が開口した収納棚６０を取り付けることができる例になっている。
【００１５】
脚部５０の断面構造例を図５に示す。
脚部５０は、略円筒状のベース支柱５１と便器本体部１０の連結凹部１３に挿入連結する上部支柱５２とを主脚部とし、ベース支柱５１の下部に着脱可能に補助脚部５５を設けてある。
本実施例では主脚部自身が高さ調整可能になっていて、上部支柱５２は下部が開口し、内側にベース支柱５１の上部がスライド上下する。
上部支柱５２の上部先端には図３，図４に示すように半割形状の雄形クリップ５２ａを有し、便器本体部１０側の連結凹部１３の天井側に設けた連結孔１３ａに挿入係合することで連結固定される実施例になっている。
上部支柱５２の内周部を上下にスライドするベース支柱５１の側部であって上部よりには、上下に所定の間隔を隔ててロック部材５３のロック爪５３ａが差し込まれるロック孔５１ａを有し、このロック孔５１ａに対応して、上部支柱５２にはロック爪支持孔５２ｂを有する。
ロック部材５３は、中央部にロック爪５３ａと上部支柱５２の外周部に弾性当接するリング部５３ｂからなる、いわゆるＥロック部材の例となっている。
これにより、ベース支柱５１のロック孔５１ａをスライド選択することで、高さ調整が可能となっている。
上部支柱５２の下端部は雄ねじ部５２ｄを有し、内側に雌ねじ部を有する締め付けリング５４を螺着することでベース支柱５１に締め付け固定できる。
【００１６】
本発明に係るポータブルトイレは、便器本体部１０とこの便器本体部１０を支える脚部５０とを別部材として樹脂成形したことにより、コンパクトな構造になっている。
【００１７】
次に図６及び図７に基づいてキャスター５７の取付構造例について説明する。
図６（ａ）〜（ｃ）は主脚部にキャスター５７を取り付けた状態を示し、図６（ｄ）〜（ｇ）は主脚部の下部に補助脚部５５を取り付け、この補助脚部５５にキャスター５７を取り付けた状態を示す。
ベース支柱５１の底部にはキャスター５７の取付部５１ｂを有し、キャスター５７は図７に示すような構造になっている。
図７（ａ）はキャスター５７の正面図で（ｂ）は底面図を表わす。
キャスター５７は、円弧状の取付片５７ｂから所定の距離を隔てた軸部５７ｃを設けて車輪５７ａを取り付けてあり、取付片５７ｂをベース支柱５１の底部に設けた凹部形状のキャスターの取付部５１ｂに挿着することで車輪５７ａが底面から遊離した状態で取り付けられる。
便器本体部１０を後方に少し傾けると、キャスター５７の車輪５７ａが床面に接することで移動が容易になる。
補助脚部５５は、主脚部の高さ調整だけでは不十分の場合に、主脚部の底部に取り付けるものであり、その場合に座面の高さが高くなり、重心が不安定になる恐れがあるので、補助脚部５５の外形が主脚部の底部（ベース支柱５１の底部）の外形よりも大きくなっている。
補助脚部５５は、ベース支柱５１の底部開口部に挿入する挿入部５５ａと取付位置決め部５５ｂを有する。
補助脚部５５をベース支柱５１の底部開口部に取り付ける際に、周回りの位置決めが定まらないと、補助脚部５５に取り付けるキャスター５７の方向が一定にならない。
そこで、本実施例は、ベース支柱５１の底部に設ける位置決め凹部として、ベース支柱５１のキャスター取付開口部５１ｃを利用し、取付位置決め部５５ｂは主脚部を構成するベース支柱５１のキャスター取付開口部５１ｃに嵌合する形状になっている。
補助脚５５にキャスター５７を取り付ける場合にも、ポータブルトイレの使用時には、安定して静置できるように車輪５７ａが床面に接することなく遊離し、ポータブルトイレを後方に少し傾けると車輪５７ａが床面に接し、移動しやすくなっている。
ここで補助脚部５５の外形の大きさを主脚部の底部の外形寸法より大きくとり、安定性を確保した場合に、外形が大きくなった補助脚部の側部にそのままキャスター５７を取り付けると、脚部の底部中心からキャスター５７の車輪の軸部５７ｃまでの距離が長くなってしまう。
しかし、脚部の底部中心からキャスター５７の軸部５７ｃまでの距離が長くなるとポータブルトイレの重心とキャスター５７の軸部５７ｃまでの距離も変化し、ポータブルトイレを傾けて移動する際に必要な力に、この補助脚部を取り付けない場合との差が生じることになる。
そこで、本発明においては、補助脚部５５の底面には主脚部のキャスター取付部５１ａと中心半径が同じの凹部状のキャスター取付部５５ｃを形成し、この部分にキャスター５７を装着し取り付けるようにした。
これにより、図６（ｃ）及び（ｆ）を比較すると分かるように、補助脚部５５の外形が大きいのに底面の中心から車輪の軸部５７ｃまでの距離Ｌが同じになり、ポータブルトイレの移動性が向上した。
【００１８】
次に、図８及び図９に収納棚６０の取付構造例を示す。
図８（ａ）は収納棚６０の側面視を示し、図９はポータブルトイレの背面から見た収納棚６０の部分図を示す。
図８（ｂ）に示すように便器本体部１０の底面には、側面視略Ｌ字形状のフック部１０ｃを有し、一方、収入棚６０の上部には係止孔６１を有し、この係止孔６１を便器本体部１０のフック部１０ｃに引っ掛ける。
脚部５０には図９に示すように側部から固定片５２ｃを突出させ、この固定片に設けた固定孔５２ｅに収納棚６０に設けた被固定部６２から下側に突出させた突起部６２ａを嵌合する。
これにより脚部５０の上部を便器本体部の連結凹部１３に連結すると、収納棚６０の被固定部６２を脚部５０の固定片５２ｃからなる固定部で下から支えるように収納棚６０が便器本体部１０の下面に固定される。
従って収納棚６０をビス等の固定部材を用いることなく便器本体部に取り付けることができるので組立作業性がよい。
また、収納棚の重さを脚部に設けた固定部で下から支えるように作用し、収納棚を便器本体部の下に吊り下げる構造に比較して簡単な構造で強固に固定できる。
【符号の説明】
【００１９】
１        ポータブルトイレ
１０      便器本体部
１１      便槽
１２      便座
１３      連結凹部
２０      背凭れ部
３０      肘掛部
４０      蓋部
５０      脚部
５１      ベース支柱
５２      上部支柱
５３      ロック部材
５７      キャスター
６０      収納棚
【図１】
2010240166.tif 000003
【図２】
2010240166.tif 000004
【図３】
2010240166.tif 000005
【図４】
2010240166.tif 000006
【図５】
2010240166.tif 000007
【図６】
2010240166.tif 000008
【図７】
2010240166.tif 000009
【図８】
2010240166.tif 000010
【図９】
2010240166.tif 000011